(57)【要約】      （修正有）【課題】上ケースと下ケースとの間の水密性を向上させることができ、水漏れを確実に防ぐことができる防水構造を提供する。【解決手段】弾性を有するシール部材６と、シール部材６を収容する溝５３を有する第１の部材と、溝５３に対応する位置に、シール部材６を溝５３に押し潰すための嵌合壁２２を有する第２の部材２と、から構成される防水構造において、溝５３は、底面５３ａと側面５３ｂとを成す角部５３ｃに、シール部材６の位置を嵌合壁２２の位置へ規制する突出部５３４を有し、溝５３は屈曲溝部を有し、突出部５３４は屈曲溝部に有する。【選択図】図３
2019105488.tif 000002
【特許請求の範囲】
【請求項１】
弾性を有するシール部材と、
前記シール部材を収容する溝を有する第１の部材と、
前記溝に対応する位置に、前記シール部材を前記溝に押し潰すための嵌合壁を有する第２の部材と、から構成される防水構造において、
前記溝は、底面と側面とを成す角に、前記シール部材の位置を前記嵌合壁の位置へ規制する突出部を有し、
前記溝は屈曲した屈曲溝部を有し、前記突出部は少なくとも前記屈曲溝部に有することを特徴とする防水構造。
【請求項２】
前記屈曲溝部の前記突出部は、前記屈曲溝部以外の前記突出部に比べ大面積で前記シール部材に当接することを特徴とする請求項１に記載の防水構造。
【請求項３】
前記屈曲溝部に隣接する位置に、前記第１の部材と前記第２の部材とを固定する固定部を有することを特徴とする請求項１から２のいずれかに記載の防水構造。
【発明の詳細な説明】
【技術分野】
【０００１】
本開示は、防水構造に関するものであり、特に、二輪車等の車両に搭載する計器装置の防水構造に関するものである。
【０００２】
一般に、二輪車等の車両の乗員の前方には、車速等を計測するための計器装置が配置されている。このような計器装置の１つとして、アナログ式の計器装置が知られている。アナログ式の計器装置は、乗員（視認者）側の上ケースと、乗員から見て上ケースの後方に位置する下ケースとにより筐体を形成する。この下ケースの外周に凹状の溝を設け、この溝内に断面円形状のシール部材を挿入し、挿入されたシール部材を上ケースの減厚部によって溝の底部側に押圧するものがある。このような計器の防水構造に関する従来技術として、特許文献１に開示される技術がある。
【先行技術文献】
【特許文献】
【０００３】
【特許文献１】特開２０１１−４６２９２号公報
【発明の概要】
【発明が解決しようとする課題】
【０００４】
しかしながら、計器装置の上ケースと下ケースをビス固定する場合において、溝は、ビス固定部から避けて配置する必要があるため屈曲する屈曲溝部を有するので、この屈曲溝部において、シール部材が折れ曲がる部分では、シール部材が伸ばされ、シール部材の肉厚が細くなり、シール部材が溝の屈曲溝部の内側に偏り、減厚部とシール部材の当接が偏心し、十分な止水機能を発揮できないという問題があった。
【０００５】
そこで、本開示は、上記問題点に鑑みてなされたものであり、上ケースと下ケースとの間の水密性を向上させることができ、水漏れを確実に防ぐことができる防水構造を提供することを目的とする。
【課題を解決するための手段】
【０００６】
本開示は、弾性を有するシール部材６と、前記シール部材６を収容する溝５３を有する第１の部材１と、前記溝５３に対応する位置に、前記シール部材６を前記溝５３に押し潰すための嵌合壁２２を有する第２の部材２と、から構成される防水構造において、前記溝５３は、底面５３ａと側面５３ｂとを成す角部５３ｃに、前記シール部材６の位置を前記嵌合壁２２の位置へ規制する突出部５３４を有し、前記溝５３は屈曲溝部５３３を有し、前記突出部５３４は前記屈曲溝部５３３に有することを特徴とする。
【発明の効果】
【０００７】
本開示に係る防水構造によれば、上ケースと下ケースとの間の水密性を向上させることができ、水漏れを確実に防ぐことができる。
【図面の簡単な説明】
【０００８】
【図１】本開示の第１の実施形態を示す車両用計器の正面図。
【図２】図１中のＡ−Ａ線に沿った断面図。
【図３】図２中の要部Ｃに示す拡大図。
【図４】図２中の矢視Ｂに示す上ケースの裏面図。
【図５】図４中の要部Ｄに示す拡大図。
【図６】図４中の要部Ｄの本開示の第２の実施形態を示す拡大図。
【発明を実施するための形態】
【０００９】
本開示の実施形態に係る車両用計器１００を添付図１乃至６に基づいて以下に説明する。尚、説明中、車両用計器１００から車両運転席に着座したユーザーを見る方向を「前」といい、奥側を「後」という。
【００１０】
本開示の第１の実施形態を図１乃至５に示す。車両用計器１００は、乗員側から視認して外形が略四角形に形成され、乗員の前方に配置され、中央に乗員に車速等の情報を表示する表示部３が配置され、表示部３の前方を覆う上ケース（第１の部材）１と、表示部３の後方に位置し、表示部３を格納する下ケース（第２の部材）２と、からなる装置である。
【００１１】
上ケース１は、表示部３の前方に配置され、表示部３を透視する透過パネル４と、透過パネル４と表示部３との間に配設され、両者の間の空間を周方向に取り囲む見返し５とからなる。
【００１２】
透過パネル４は、例えば透明な材料（例えば、アクリル等の合成樹脂や無機ガラスなど）からなり、見返し５の開口５１を覆う被覆部材としての機能を有している。また、透過パネル４は、表示部３を前記乗員に対して視認可能に構成されている。
【００１３】
見返し５は、黒色等の不透過の合成樹脂（例えば、ポリプロピレンなど）からなり、表示部３と透過パネル４との間の空間を周方向に取り囲み、表示部３を透過可能な開口５１を有する。また、透過パネル４と見返し５とは、インサート成形などにより一体に形成されている。
【００１４】
また、図２，４に示すように、見返し５は、後面側の外形の各角部に、ビス等の固定具であるビスＶが挿入されるビス穴５２を有する。また、見返し５は、後面側の外周に下ケース２の方に開口した断面略コの字状（凹状）の溝部（溝）５３を有する。
【００１５】
図４に示すように、ビス穴５２に隣接する溝部５３は、ビス穴５２の形状に沿って、ビス穴５２を見返し５の内側を通るように避けて配置されている。また、溝部５３は、見返し５の外形形状に沿って設けられる外周溝部５３１と、ビス穴５２の形状に沿って設けられる固定部溝部５３２と、外周溝部５３１と固定部溝部５３２を繋ぎ、外周と内側間を連続させるため折れ曲がり屈曲した屈曲溝部５３３と、を有する。外周溝部５３１は、略直線形状に形成されている。固定部溝部５３２は、略円弧形状に形成されている。屈曲溝部５３３は、固定部溝部５３２より屈曲半径が小さい半径で形成された略円弧形状に形成されている。
【００１６】
また、溝部５３には、ゴム材料等からなる弾性を有する環状のシール部材６が嵌め込まれている。シール部材６は、図３（ａ）に示すように、断面略円形状に形成されている。また、シール部材６は、図３（ｂ）に示すように、後述する嵌合壁２２により、溝部５３に押し潰されて上ケース１と下ケース２間を密封する。
【００１７】
また、溝部５３は、溝部５３の底面５３ａと側面５３ｂとを成す角に、シール部材６の位置を底面５３ａの中央位置へ規制するための突出部５３４を有する。突出部５３４は、シール部材６を挟んで一対に設けられている。また、突出部５３４は、外周溝部５３１，固定部溝部５３２，屈曲溝部５３３のそれぞれに少なくとも１組以上、設けられている。
【００１８】
また、図５に示すように、屈曲溝部５３３の内径側に位置する突出部５３４の乗員視認方向の幅Ｗ１は、屈曲溝部５３３の外径側に位置する突出部５３４及び外周溝部５３１，固定部溝部５３２に位置する突出部５３４の幅Ｗ２よりも幅広に形成され、結果として固定部溝部５３２に位置する突出部５３４よりも大面積でシール部材６に当接する。
【００１９】
また、屈曲溝部５３３に位置する突出部５３４の乗員視認方向の突出量Ｈ１は、外周溝部５３１，固定部溝部５３２に位置する突出部５３４の突出量Ｈ２よりも高く形成されている。
【００２０】
表示部３は、液晶表示パネル，バックライトユニット，光拡散板，フレーム体等を備えた液晶表示器３１と、その後方に配設される配線基板３２と、からなり、車両の速度や、作動・警告灯等の車両情報を画像にて表示する。そして、上ケース１の開口５１から乗員に視認可能に設けられている。
【００２１】
配線基板３２は、例えばＦＲ−４（Ｆｌａｍｅ  Ｒｅｔａｒｄａｎｔ−４）等の平板状のガラスエポキシ系基材に配線パターンを施した硬質配線基板からなり、液晶表示器３１を駆動・制御するための指令信号を出力する制御手段，抵抗，コンデンサ等の各種回路部品が前記配線パターンに導通接続されている。
【００２２】
下ケース２は、黒色等の不透過の合成樹脂（例えば、ポリプロピレンなど）からなり、見返し５前方が開口した箱状に形成されている。また、下ケース２は、箱状の内部に、表示部３を収容する。また、下ケース２は、ビス穴５２に対応する位置に、ビスＶの貫通する貫通穴２１を有する。また、この貫通穴２１に後方からビスＶが挿入され、見返し５に固定される。これにより、車両用計器１００は、上ケース１と下ケース２とにより、閉じられた筐体となる。
【００２３】
また、下ケース２は、溝部５３に対応する位置に、シール部材６を溝部５３に押し潰すための凸状の嵌合壁２２を有する。嵌合壁２２は、溝部５３の形状と同様に、見返し５の外形形状に沿って設けられると共に、ビス穴５２の内側を通るように避けて配置される。
【００２４】
このように形成されることにより、屈曲溝部５３３において突出部５３４は、大面積でシール部材６に当接することで局所的にシール部材６が伸ばされてシール部材６の肉厚が細くなることを防止できるので、嵌合壁２２とシール部材６の当接が確実となり、上ケース１と下ケース２との間の水密性を向上させ水漏れを防ぎ、商品性の高い防水構造を提供することができる。
【００２５】
また、屈曲溝部５３３において突出部５３４は、外周溝部５３１及び固定部溝部５３２に位置する突出部５３４の突出量Ｈ２よりも高く形成されることで、局所的にシール部材６が伸ばされてシール部材６の肉厚が細くなったとして、溝部５３の中心位置を維持できるので嵌合壁２２とシール部材６の当接が確実となり、上ケース１と下ケース２との間の水密性を向上させ水漏れを防ぎ、商品性の高い防水構造を提供することができる。
【００２６】
また、固定部溝部５３２や屈曲溝部５３３に隣接する位置に、上ケース１と下ケース２と固定する、ビスＶ等の固定具を有することで、嵌合壁２２とシール部材６の当接が確実となり、上ケース１と下ケース２との間の水密性を向上させ水漏れを防ぎ、商品性の高い防水構造を提供することができる。
【００２７】
本開示の第２の実施形態を図６に示す。前述した第１の実施形態と同一部分、均等部箇所については同一符号を付して説明する。
【００２８】
第１の実施形態では、屈曲溝部５３３の内径側に位置する突出部５３４の幅Ｗ１は、幅Ｗ２よりも幅広に形成され、固定部溝部５３２に位置する突出部５３４よりも大面積でシール部材６に当接していたが、第２の実施形態では、突出部５３４の幅Ｗ３は、幅Ｗ１と同じ幅に形成されている。しかしながら、複数個の突出部５３４の距離が近接して連続して設けられることで、固定部溝部５３２に位置する突出部５３４よりも大面積でシール部材６に当接する。
【００２９】
屈曲溝部５３３において、突出部５３４が大面積でシール部材６に当接することで、局所的にシール部材６が伸ばされてシール部材６の肉厚が細くなることを防止できるので、嵌合壁２２とシール部材６の当接が確実となり、上ケース１と下ケース２との間の水密性を向上させ水漏れを防ぎ、商品性の高い防水構造を提供することができる。
【００３０】
尚、本発明の防水構造を上記した実施形態の構成にて例に挙げて説明したが、本発明はこれに限定されるものではなく、他の構成においても、本発明の要旨を逸脱しない範囲において種々の改良、並びに設計の変更が可能なことは勿論である。
【００３１】
例えば、溝部５３の断面は、略コの字状であったが、略Ｕ字状の断面であってもよく、形状は問わない。また、シール部材６は、断面略円形状であったが、断面四角形であってもよく、形状は問わない。
【００３２】
本開示は、車両用の計器装置に関し、例えば、自動車やオートバイ、あるいは農業機械や建設機械を備えた移動体に搭載される防水構造に適用することができる。
【符号の説明】
【００３３】
１    上ケース（第１の部材）
２    下ケース（第２の部材）
２１    貫通穴（固定部）
２２    嵌合壁
５２    ビス穴（固定部）
５３    溝部（溝）
５３ａ    底面
５３ｂ    側面
５３ｃ    角部
５３３    屈曲溝部
５３４    突出部
６    シール部材
Ｈ２    突出量
【図１】
2019105488.tif 000003
【図２】
2019105488.tif 000004
【図３】
2019105488.tif 000005
【図４】
2019105488.tif 000006
【図５】
2019105488.tif 000007
【図６】
2019105488.tif 000008